(57)【要約】      （修正有）【課題】結合品質および強度を向上させたゴルフクラブヘッドを提供する。【解決手段】ゴルフクラブヘッドは本体およびフェイス部材から構成される。本体は頂辺縁部１３、底辺縁部１４、ヒール部１５、トウ部１６、開口部および環状凹溝１９を有する。ヒール部は本体の一側に形成される。トウ部は本体の他側に形成される。開口部は本体の正面に形成される。環状凹溝は開口部に配置され、頂辺縁部および底辺縁部に位置する幅が比較的小さく、ヒール部およびトウ部に位置する幅が比較的大きい。フェイス部材は背面に環状リブを有し、本体の開口部に被さり、環状リブが本体の環状凹溝に嵌まり込み、溶接される。【選択図】図５
0003225213.tif 000002
【実用新案登録請求の範囲】
【請求項１】
本体（１０）およびフェイス部材（２０）から構成され、
前記本体（１０）は正面（１１）、背面（１２）、頂辺縁部（１３）、底辺縁部（１４）、ヒール部（１５）、トウ部（１６）、開口部（１８）および環状凹溝（１９）を有し、前記ヒール部（１５）および前記トウ部（１６）は前記本体（１０）の相対する両側に配置され、前記開口部（１８）は正面（１１）に形成され、前記環状凹溝（１９）は前記開口部（１８）に配置され、前記環状凹溝（１９）は、前記頂辺縁部（１３）および前記底辺縁部（１４）における幅に対し、前記ヒール部（１５）および前記トウ部（１６）における幅が相対的に大きく、
前記フェイス部材（２０）は形が前記本体（１０）の形に対応し、頂辺縁部（２１）、底辺縁部（２２）、正面（２３）、背面（２４）および環状リブ（２５）を有し、前記正面（２３）は撃球面になり、
前記フェイス部材（２０）は前記本体（１０）の前記正面（１１）の前記開口部（１８）に被さり、前記環状リブ（２５）が前記本体（１０）の前記環状凹溝（１９）に嵌まり込むことを特徴とする、
ゴルフクラブヘッド。
【請求項２】
前記環状凹溝（１９）の、前記頂辺縁部（１３）および前記底辺縁部（１４）における幅が１／８から１／２ｍｍであることを特徴とする請求項１に記載のゴルフクラブヘッド。
【請求項３】
本体（１０）の最も左側から最も右側までの総延長がＬと定義される場合、その中間である１／２Ｌの位置を基準として左右へ１／８Ｌから１／４Ｌの範囲内の前記環状凹溝（１９）の幅が１／８から１／２ｍｍであることを特徴とする請求項２に記載のゴルフクラブヘッド。
【請求項４】
前記環状凹溝（１９）の、前記ヒール部（１５）および前記トウ部（１６）における幅が１／２から１ｍｍであることを特徴とする請求項２に記載のゴルフクラブヘッド。
【請求項５】
前記環状凹溝（１９）の、前記ヒール部（１５）および前記トウ部（１６）における幅が１／２から１ｍｍであることを特徴とする請求項３に記載のゴルフクラブヘッド。
【請求項６】
前記環状凹溝（１９）の深さが５／１００から３０／１００ｍｍであることを特徴とする請求項４に記載のゴルフクラブヘッド。
【請求項７】
前記環状凹溝（１９）の深さが５／１００から３０／１００ｍｍであることを特徴とする請求項５に記載のゴルフクラブヘッド。
【考案の詳細な説明】
【技術分野】
【０００１】
本考案はゴルフクラブに関し、詳しくはゴルフクラブヘッドに関するものである。
【背景技術】
【０００２】
よく見掛けられているゴルフクラブヘッドは二つのパーツまたは三つのパーツから構成される。図１および図２に示すように、ゴルフクラブヘッド１は二つのパーツからなる、即ちフェイス部材２および本体３を結合させることによって構成される。本体３は一側に形成された開口部４と、開口部４の周縁に形成された環状凹溝５とを有する。フェイス部材２は開口部４に配置され、環状突起部６を有する。環状突起部６は環状凹溝５に嵌まり込んでフェイス部材２および本体３を結合させる。詳しく言えば、本体３およびフェイス部材２は環状凹溝５および環状突起部６によって結合し、溶接によって固定されることが一般的である。
溶接によって固定作業を行う際には、環状凹溝５の中および結合箇所の表面に溶接材料を置き、そののち溶接材料を熔かして本体３およびフェイス部材２を結合させて固定する。しかしながら、上述した構造は実務上の問題、即ち環状凹溝５の幅が溶接材料の使用量および結合強度に影響を与えるという問題を抱える。つまり、環状凹溝５の幅が大きければ溶接工程において溶接材料の流動を促し、隙間を減らすことができるが、溶接材料の使用量が多くなる。一方、環状凹溝５の幅が小さければ溶接材料の使用量を削減できるが、結合強度が落ちるだけでなく、溶接材料が流動しにくくなる。
【考案の概要】
【考案が解決しようとする課題】
【０００３】
本考案は結合の品質および強度を向上させることができるゴルフクラブヘッドを提供することを主な目的とする。
【課題を解決するための手段】
【０００４】
上述した課題を解決するためのゴルフクラブヘッドは、本体およびフェイス部材から構成される。本体は頂辺縁部、底辺縁部、ヒール部、トウ部、開口部および環状凹溝を有する。開口部は本体の一側に形成される。環状凹溝は開口部に配置され、頂辺縁部および底辺縁部に位置する幅が比較的小さく、ヒール部およびトウ部に位置する幅が比較的大きいため、幅が均一でない環状凹溝になる。フェイス部材は正面および背面を有する。正面は撃球面になる。背面は本体の環状凹溝に対応する環状リブを有する。
【図面の簡単な説明】
【０００５】
【図１】従来のゴルフクラブヘッドを示す斜視図である。
【図２】図１中の２−２線に沿った断面図である。
【図３】図１中の本体３を示す正面図である。
【図４】本考案の一実施形態によるゴルフクラブヘッドを示す分解斜視図である。
【図５】本考案の一実施形態によるゴルフクラブヘッドの本体を示す正面図である。
【考案を実施するための形態】
【０００６】
以下、本考案による弾性を増大させるゴルフクラブヘッドを図面に基づいて説明する。なお、明細書において、構造、使い道および応用に関わる記載および技術用語が本考案を限定できないことは、それに関連する領域において常識がある人ならば理解できるはずである。また、上下、左右、頂部、底部、内側、外側などの方向性用語は本考案を限定できず、通常使用する方向に基づいて表現される。
【０００７】
本考案の請求範囲において、説明のために挙げた部位の数は一つであるとは限らず、複数であってもよい。明細書において、効果が同等な部品の交換、記載中の特定の形状および構造特徴または技術用語は本考案を説明するための一例に過ぎず、本考案の請求範囲を限定できないことは、本考案にかかわる領域において常識がある者ならば理解できるはずである。つまり、本考案は下記の実施形態になんら限定されるものではなく、考案の趣旨を逸脱しない範囲において種々の形態で実施可能である。      
【０００８】
（一実施形態）
図４および図５に示すように、ゴルフクラブヘッドは本体１０およびフェイス部材２０から構成される。
【０００９】
本体１０は正面１１、背面１２、頂辺縁部１３、底辺縁部１４、ヒール部１５、トウ部１６、ネック部１７、開口部１８および環状凹溝１９を有する。
ヒール部１５は本体１０の一側に形成される。トウ部１６はヒール部１５に相対する本体１０の別の一側に形成される。ネック部１７はシャフト（図中未表示）と連結するためにヒール部１５に配置される。開口部１８は本体１０の正面１１に形成される。環状凹溝１９は開口部１８に配置される。環状凹溝１９は頂辺縁部１３および底辺縁部１４に位置する幅が比較的小さく、ヒール部１５およびトウ部１６に位置する幅が比較的大きい。
本実施形態において、図５に示すように、ゴルフクラブヘッドの本体１０の最も左側から最も右側までの総延長がＬと定義される場合、中間位置、即ち１／２Ｌの位置が基準になって左右へ１／８Ｌから１／４Ｌ伸びる範囲内の環状凹溝１９の幅は１／８から１／２ｍｍである。その範囲外の環状凹溝１９の幅は１／２から１ｍｍである。環状凹溝１９の深さは５／１００から３０／１００ｍｍである。
【００１０】
フェイス部材２０は形が本体１０の正面１１に対応する。フェイス部材２０は頂辺縁部２１、底辺縁部２２、正面２３、背面２４および環状リブ２５を有する。
フェイス部材２０の正面２３は撃球面になる。環状リブ２５は背面２４に形成される。フェイス部材２０は本体１０の開口部１８に被さり、環状リブ２５が本体１０の環状凹溝１９に嵌まり込む。環状リブ２５は形が本体１０の環状凹溝１９に対応し、本体１０の頂辺縁部１３および底辺縁部１４に対応する部位の幅が比較的小さく、本体１０のヒール部１５およびトウ部１６に対応する部位の幅が比較的大きい。
【００１１】
本体１０およびフェイス部材２０の結合および固定方式は従来の方法と同じである。つまり、本体１０およびフェイス部材２０は溶接方法によって固定される。溶接作業を行う際、環状凹溝１９内に溶接材料を置く。
本考案の構造特徴により、環状凹溝１９は本体１０の頂辺縁部１３および底辺縁部１４に位置する部位の幅が比較的小さいため、フェイス部材２０および本体１０は頂辺縁部１３および底辺縁部１４に位置する結合強度がヒール部１５およびトウ部１６に位置する結合強度より大きく、環状凹溝１９内の隙間を減少させ、結合の品質および強度を向上させることができる。本考案において、本体１０は単一構造であるとは限らず、二つのパーツからなる構造であってもよい。本考案の要点は幅が均一でない環状凹溝を本体に形成することによって本考案の目的を達成することである。
【符号の説明】
【００１２】
１  ゴルフクラブヘッド
２  フェイス部材
３  本体
４  開口部
５  環状凹溝
６  環状突起部
１０  本体
１１  正面
１２  背面
１３  頂辺縁部
１４  底辺縁部
１５  ヒール部
１６  トウ部
１７  ネック部
１８  開口部
１９  環状凹溝
２０  フェイス部材
２１  頂辺縁部
２２  底辺縁部
２３  正面
２４  背面
２５  環状リブ
【図１】
0003225213.tif 000003
【図２】
0003225213.tif 000004
【図３】
0003225213.tif 000005
【図４】
0003225213.tif 000006
【図５】
0003225213.tif 000007